(57)【要約】【課題】  コードレス電話機において、子機の不要な着信鳴動を回避できる着信制御方法およびコードレス電話機を提供する。【解決手段】  外線からの着信を受ける親機１と子機３の間を無線通信により接続したコードレス電話装置において、子機３にＲＦＩＤタグ４０を備え、親機１にＲＦＩＤ情報を読み取るリード機能２０を備え、着信時に親機１からＲＦＩＤリード機能を用いて子機３を探索し、ＲＦＩＤ情報を読み取れる範囲内に子機３が存在する／または存在しないときに、子機３に対して親機１から着信通知制御を指示する。【選択図】      図２
2006074178.tif 000002
【特許請求の範囲】
【請求項１】
外線からの着信を受ける親機と子機の間を無線通信により接続したコードレス電話機の着信通知制御方法において、
子機にＲＦＩＤタグを備え、親機にＲＦＩＤ情報を読み取るリード機能を備え、
着信時に親機からＲＦＩＤリード機能を用いて子機を探索し、ＲＦＩＤ情報を読み取れる範囲内に子機が存在するときに、子機に対して親機から呼び出し信号を出さないことを特徴とするコードレス電話機の着信通知制御方法。
【請求項２】
請求項１記載のコードレス電話機の着信通知制御方法において、
ＲＦＩＤ情報を読み取れる範囲内に子機が存在するときに、予め設定した時間後に子機を鳴動させることを特徴とするコードレス電話機の着信通知制御方法。
【請求項３】
請求項１記載のコードレス電話機の着信通知制御方法において、
ＲＦＩＤ情報を読み取れる範囲内に子機が存在しないときに、最初から子機を鳴動させることを特徴とするコードレス電話機の着信通知制御方法。
【請求項４】
請求項１記載のコードレス電話機の着信通知制御方法において、
親機に子機のＲＦＩＤタグにＲＦＩＤ情報を書き込むＲＦＩＤライト機能を具備し、ＲＦＩＤ情報を読み取れる範囲内に子機が存在するときに、親機から着信動作を指示するコマンドをＲＦＩＤライト機能により送出し、子機に指示した着信動作を行わせることを特徴とするコードレス電話機の着信通知制御方法。
【請求項５】
請求項１記載のコードレス電話機の着信通知制御方法において、
親機が、カールコードで接続された送受話器を有するとともに無線通信で接続される子機を有するコードレス電話機であるか、カールコードで接続される送受話器を有さず送受話器が無線通信で接続される子機であるコードレス電話機のいずれかである、コードレス電話機の着信通知制御方法。
【請求項６】
請求項１記載のコードレス電話機の着信通知制御方法において、
親機がカールコードで接続された送受話器を有するとともに無線通信で接続される子機を有するコードレス式ボタン電話機であるか、カールコードで接続される送受話器を有さず送受話器が無線通信で接続される子機であるコードレス式ボタン電話機のいずれかである、コードレス電話機の着信通知制御方法。
【請求項７】
外線からの着信を受ける親機と子機の間を無線通信により接続したコードレス電話装置において、
子機にＲＦＩＤタグを備え、
親機にＲＦＩＤ情報を読み取るリード機能を備えるとともに、着信時にＲＦＩＤリード機能を用いて子機を探索し、ＲＦＩＤ情報を読み取れる範囲内に子機が存在するときに、子機に対して着信動作を指示する機能を有することを特徴とするコードレス電話装置。
【発明の詳細な説明】
【技術分野】
【０００１】
本発明は、親機と子機から構成されるコードレス電話機に関し、子機及び親機の着信制御方法およびコードレス電話機に関する。
【背景技術】
【０００２】
従来から、親機と子機から構成されるコードレス電話機においては、例えば子機が親機上で充電中のような場合には、外部からの着信に対して子機は鳴動させないといった制御が行われていた（特許文献１参照）。また、子機が充電器に置かれてない場合でも、親機からの受信電波の強さを子機で検出して、あるしきい値より大きい場合には子機は親機からの着信情報を受信しても鳴動しないという技術が提案されている（特許文献２参照）。
【０００３】
【特許文献１】特開平５−２９２１６１号公報
【特許文献２】特開平１１−１０３３３５号公報
【発明の開示】
【発明が解決しようとする課題】
【０００４】
上記、特許文献１記載の技術では、子機が充電器に置かれている場合には、子機を鳴動させないことにより親機と子機が同時に鳴動することを防げるが、例えば、子機使用後に親機の近くの例えば机の上などに子機を置いてしまった場合には、子機が親機の充電器に置かれないため、親機と子機が同時に鳴動してしまい、着信音が聞き取り難く不快感を与える。
【０００５】
また、特許文献２記載の親機からの電波の強さにより鳴動の有無を子機で判定する場合には、子機で鳴動音は鳴らないが、親機から子機には呼出信号を送信するため、限られた無線チャネルを使用してしまい、同じ時に他のコードレス電話で制御チャネルが使用できないと言う問題があった。
【０００６】
親機の本体と送受器部分間がコードレスになっているカールコードレスタイプのコードレス電話機において、子機が親機の近くにないときには親機が鳴動しても送受器が無く応答できないため、親機が鳴動することは不要であり付近の人に不快感を与えるという問題がある。
【０００７】
本発明は、上記課題を解決するもので、親機と子機の間がコードレスに接続されるコードレス電話機において、子機の不要な着信鳴動を回避できる着信制御方法およびコードレス電話機を提供することを目的とする。
【課題を解決するための手段】
【０００８】
上記課題を解決するために、本発明は、親機と子機の間がコードレスに接続されるコードレス電話機の子機にＲＦＩＤ（Ｒａｄｉｏ  Ｆｒｅｑｕｅｎｃｙ  ＩＤ）タグ等の微小電力通信手段（以下ＲＦＩＤタグという）を付加し、親機にＲＦＩＤタグからのＲＦＩＤ情報を読み取るリーダーを付けることにより、ＲＦＩＤ情報が読みとれるエリア内に子機が有る場合には、子機に対して親機から呼出信号を出さないようにした。
【０００９】
また、本発明は、上記コードレス電話機において、ＲＦＩＤ情報が読みとれるエリア内に子機が有る場合には、予め決めた時間後に子機を鳴動させるようにした。
【００１０】
さらに、本発明は、上記コードレス電話機において、ＲＦＩＤ情報が読みとれるエリア内に子機が有る場合には、親機からのコマンド情報を子機が記憶し、子機がコマンドに従った着信動作（例えば、子機の着信音量を下げたり、着信音を止めてバイブレータのみを動作させたり、等）をするようにした。
【００１１】
本発明は、例えば、親機の本体と送受話器部分がコードレスになっているカールコードレスタイプのコードレス電話機において、子機（送受話器部分）にＲＦＩＤタグを付加し、親機にＲＦＩＤ情報を読み取るリーダーを付けることにより、ＲＦＩＤ情報が読みとれるエリア内に子機が有る場合には、子機に対して親機から呼出信号を出さないようにした。また、本発明は、親機と子機から構成され親機と子機の間がコードレスに接続されるコードレス電話機において、ＲＦＩＤ情報が読みとれるエリア内に子機が有る場合には、予め決めた時間後に子機を鳴動させるようにした。さらに、本発明は、上記コードレス電話機において、ＲＦＩＤ情報が読みとれるエリア内に子機が無い場合には、最初から子機を鳴動させて親機は鳴動させないようにした。
【００１２】
また、本発明は、上記コードレス電話機において、ＲＦＩＤ情報が読みとれるエリア内に子機が無い場合には、最初から子機を鳴動させて、予め決めた時間後に親機を鳴動さるようにした。さらに、上記コードレス電話機において、ＲＦＩＤ情報が読みとれるエリア内に子機が有る場合には、親機からのコマンド情報を子機が記憶し、子機がコマンドに従った着信動作（例えば、子機の着信音量を下げたり、着信音を止めてバイブレータのみを動作させたり、等）をするようにした。
【発明の効果】
【００１３】
本発明は、コードレス電話の子機にＲＦＩＤタグを付け、親機とのデータ送受信により子機が親機の近くにいるか否かを識別して、子機の鳴動を制御することにより、子機の不要な着信鳴動を回避でき、近くで親機と子機の両方が鳴動する不快感をなくすことができる。
【００１４】
本発明は、子機の不要な着信鳴動を回避することにより、電波のチャネルを不要に使用することを防ぐことができる。また、子機の不要な着信鳴動を回避することにより、子機の電池の消耗を低減することができる。
【００１５】
従来、子機と親機の両方が鳴動することを回避する手段の１つとして、時間差を付けて親機を一定時間呼び出しても応答が無い場合に子機を呼び出す技術が提案されているが、本発明では、子機が親機の近くに無いことが分かるため、最初から子機を鳴動させることができ、発信者を待たせることがない。
【００１６】
本発明は、カールコードレスタイプのコードレス電話機で、子機（送受話器）が近くに無いために応答できないにもかかわらず、親機が鳴動することを回避でき、不快感をなくすことができる。
【００１７】
カールコードレスタイプのコードレス電話機で、子機（送受話器）が充電器に乗っていない場合は親機ではなく最初から子機を鳴動させるような技術もあるが、本発明では、子機（送受話器）が親機の近くに有る場合には、親機を鳴動させることにより、親機の持つ多彩な着信方法（例えば音声による呼出など）を有効に利用することができる。
【発明を実施するための最良の形態】
【００１８】
以下、本発明の実施例を添付図面に基づいて説明する。図１は、本発明にかかるコードレス電話機の全体構成を理解するための概略図である。図１の（１）は主に一般家庭などで使用される単体型のコードレス電話機に本発明を適用した例である。親機１がＲＦＩＤリーダー／ライターを持ち、子機３にＲＦＩＤタグを持つことにより、子機３が親機のＲＦＩＤエリア内にある場合とエリア内に無い場合で、親機１から子機３への呼出信号の送出の有無を変える等の制御を行うことができる。
【００１９】
図１の（２）は、主に一般家庭などで使用される単体型のコードレス電話機であって、親機と親機の送受話器間がコードレスになっているカールコードレスタイプのコードレス電話機に本発明を適用した例であり、この場合の送受話器（子機）３には一般のコードレス電話機の子機と同様に送受話器の機能のほかに送受話器３だけで発信及び着信応答が可能な、ダイヤル及び各種機能キー等を持っている。親機１にはＲＦＩＤリーダー／ライターを持ち、送受話器（子機）３にＲＦＩＤタグを持つことにより、送受話器（子機）３が親機のＲＦＩＤエリア内にある場合とエリア内に無い場合で、親機１から送受話器（子機）３への呼出信号の送出の有無を変える等の制御を行うことができる。
【００２０】
図１の（３）は、主に事業所などで使用されるボタン電話装置の内線に接続されるコードレス式のボタン電話機に本発明を適用した例である。ボタン電話装置は、主装置５と、主装置５に接続されるコードレスボタン電話機親機１および子機３と、場合によって有線式ボタン電話機６が接続される。コードレス式ボタン電話機親機１にはＲＦＩＤリーダー／ライターを持ち、子機３にＲＦＩＤタグを持つことにより、子機３が親機のＲＦＩＤエリア内にある場合とエリア内に無い場合で、コードレス式ボタン電話機親機１から子機３への呼出信号の送出の有無を変える等の制御を行うことができる。
【００２１】
図１の（４）は、主に事業所などで使用されるボタン電話装置の内線に接続されるコードレス式のボタン電話機の内、親機と親機の送受話器（子機）間がコードレスになっているタイプのコードレス式ボタン電話機に本発明を適用した例であり、この場合の送受話器（子機）３には一般のコードレス電話機の子機と同様に送受話器の機能のほかに送受話器（子機）だけで発信及び着信応答が可能な、ダイヤル及び各種機能キー等を持っている。コードレス式ボタン電話機親機１にはＲＦＩＤリーダー／ライターを持ち、送受話器（子機）３にＲＦＩＤタグを持つことにより、送受話器（子機）３がコードレス式ボタン電話機親機１のＲＦＩＤエリア内にある場合とエリア内に無い場合で、コードレス式ボタン電話機親機１から送受話器（子機）３への呼出信号の送出の有無を変える等の制御を行うことができる。
【００２２】
図２を用いて、本発明の第１の実施例におけるコードレス電話機の親機１と子機３の構成の概略を説明する。図２において、コードレス電話機は、外線に接続されるコードレス電話機親機１と、親機と無線で接続されるコードレス電話機子機３から構成される。
【００２３】
コードレス電話機親機１は、制御回路１１と、無線通信回路１２と、アンテナ１３と、回線インタフェース回路１４と、スピーチネットワーク１５と、送受話器１６と、スピーカ１７と、入力回路１８と、表示回路１９と、ＲＦＩＤリーダー／ライター２０と、情報記憶回路２１と、電源回路２２と、充電端子２３を有して構成される。
【００２４】
制御回路１１は、コードレス電話機親機１の各回路からの入力情報（コードレス電話機子機３からの情報も含む）に対する解析や判断、情報記憶回路２１に対する情報の入出力、各回路の制御を行う。また、無線通信回路１２は、コードレス電話機子機３との間でアンテナ１３を経由して無線交信を行う。
【００２５】
回線インタフェース回路１４は、外線に接続されるインタフェース回路である。ここでいう外線は、一般公衆回線、ＩＰ電話事業者の回線、専用線、私設線、携帯等の無線使用回線（無線／有線変換アダプタ使用）等も含まれる。また、ボタン電話装置などの内線にコードレス式ボタン電話機として接続される場合には、ボタン電話装置の内線回路も含まれる。
【００２６】
スピーチネットワーク１５は、回線インタフェース回路１４からの音声情報や無線通信回路１２を経由した子機からの音声情報等を、送受話器１６及びスピーカ１７に接続する。
【００２７】
送受話器１６は、コードレス電話機親機１にて通話を行うためのものであり、スピーカ１７は、着信音を鳴動させたり他の音を聞かせるためのものである。入力回路１８は、ダイヤルキーや機能キーなどの各種情報の入力手段である。表示回路１９は、電話番号や通話時間等を表示する手段である。
【００２８】
ＲＦＩＤリーダー／ライター２０は、ＲＦ信号を送出して子機に付加されたＲＦＩＤタグに電源を供給するとともに、ＲＦＩＤタグと各種情報の送受信を行う手段である。情報記憶回路２１は、通常の記憶部としての働きの他に、コードレス電話機子機３に付加されたＲＦＩＤタグのＩＤ番号、ＩＤ受信状態等の情報が記憶される。
【００２９】
電源回路２２は、商用電源等からコードレス電話機親機１を動作させる電源に変換する回路であり、充電端子２３は、コードレス電話機子機３を充電するための電源出力回路である。
【００３０】
コードレス電話機子機３は、制御回路３１と、無線通信回路３２と、アンテナ３３と、スピーチネットワーク３４と、送受話器３５と、スピーカ３６と、入力回路３７と、表示回路３８と、情報記憶回路３９と、記憶部４１を有するＲＦＩＤタグ４０と、充電端子４２と、電源回路４３を有して構成される。
【００３１】
制御回路３１は、コードレス電話機子機３の各回路からの入力情報（コードレス電話機親機１からの情報も含む）に対する解析や判断、情報記憶回路３９に対する情報の入出力、各回路の制御を行う手段である。無線通信回路３２は、コードレス電話機親機１との間でアンテナ３３を経由して無線交信を行う手段である。
【００３２】
スピーチネットワーク３４は、無線通信回路３２を経由した親機からの音声情報等を、送受話器３５及びスピーカ３６に接続する。送受話器３５は、コードレス電話機子機にて通話を行う手段であり、スピーカ３６は、着信音を鳴動させたり他の音を聞かせるための手段である。入力回路３７は、ダイヤルキーや機能キーなどの各種情報の入力手段である。表示回路３８は、電話番号や通話時間等を表示する手段である。情報記憶回路３９は、コードレス電話機子機３を動作させるための各種情報を記憶させる回路である。
【００３３】
ＲＦＩＤタグ４０は、コードレス電話機親機１のＲＦＩＤリーダー／ライター２０より、ＲＦ信号により電源供給を受けて動作し、ＲＦＩＤリーダー／ライター２０と各種情報の送受信を行う。また、記憶部４１は、ＲＦＩＤタグの固有のＩＤ情報を記憶するとともに、ＲＦＩＤリーダー／ライター２０から受信した情報を記憶する手段である。
【００３４】
充電端子４２は、コードレス電話機親機１の充電端子２３又は他の充電器から充電を受けるための端子であり、電源回路４３は、充電端子４２で受けた電源を、コードレス電話機子機３を動作させる電源に変換する回路である。
【００３５】
図２に示すボタン電話装置に適用される本発明の第１の実施例の動作を、図２〜図５を用いて説明する。この実施例では、コードレス電話機親機１と第１の子機Ａ３−１及び第２の子機Ｂ３−２が、図３に示す位置関係、すなわち、第１の子機Ａ３−１が親機１のＲＦＩＤエリア内にあり、第２の子機Ｂ３−２が親機１のＰＦＩＤエリア外にあるとする。
【００３６】
図５に示すように、コードレス電話機親機１に着信があると、制御回路１１は着信を認識する（Ｓ１０１）。この着信に対して第１の子機Ａ３−１と第２の子機Ｂ３−２を鳴動させる場合、制御回路１１は、ＲＦＩＤリーダー／ライター２０からＲＦ信号を送出する（Ｓ１０２）。ＲＦＩＤエリア内にある子機Ａ３−１のＲＦＩＤタグ４０は、ＲＦ信号によりパワーが供給され動作を開始する（Ｓ２０１）。（図３の場合には第１の子機Ａ３−１にはパワーが供給され第２の子機Ｂ３−２にはパワーが供給されない）このＲＦ信号にはコマンドが含まれ、第１の子機Ａ３−１はそのコマンドを受け取る（Ｓ２０２）。コマンドを受け取ったＲＦＩＤタグ４０は、記憶部４１に予め記憶された自分のＩＤを送信し（Ｓ２０３）、コードレス電話機親機１のＲＦＩＤリーダー／ライター２０はＲＦＩＤタグから送信されたＩＤを受信する（Ｓ１０３）。
【００３７】
ＲＦＩＤタグからのデータ受信を一定時間監視して、タイムオーバーした場合（Ｓ１０４）に、制御回路１１は受信データを情報記憶回路２１内に設けたＩＤ識別テーブルに記憶する（Ｓ１０５）。図４を用いて、情報記憶回路２１内に設けたＩＤ識別テーブルに記憶されるデータの構成を説明する。ＩＤ識別テーブルは、子機とそのＩＤとＩＤ受信状態を対応付けて構成される。この例では、子機番号ＡのＩＤは“０００１”であり、ＩＤ受信状態は“受信”であり、子機番号ＢのＩＤは“０００２”であり、ＩＤ受信状態は“未受信”が記述される。
【００３８】
情報記憶回路２１に記憶された子機とＩＤ識別テーブルを構成するデータから、ＩＤを受信できた子機（この場合には第１の子機Ａ３−１）が近くにあり、ＩＤを受信できなかった子機（この場合は第２の子機Ｂ３−２）が近くに無いことを制御回路１１が判定する（Ｓ１０６）。制御回路１１は、スピーチネットワーク１５の制御を行い、スピーカ１７から着信音を鳴動させることにより親機を着信鳴動させる（Ｓ１０７）。
【００３９】
コードレス電話機親機１の着信鳴動については、図５には特に記述しないが、（Ｓ１０６）の判定結果により以下の３つの中から選択することができる。
（１）無条件で鳴動させる。
（２）鳴動させる子機がある場合には親機は鳴動させない。
（３）子機を一定時間鳴動させて、誰も応答しなかった場合に親機を鳴動させる。
【００４０】
制御回路１１は、近くに無いと判定した第２の子機Ｂ３−２に対して、無線通信回路１２及びアンテナ１３を通じて呼出信号を送信し（Ｓ１０８）、第２の子機Ｂ３−２が呼出信号を受信することにより（Ｓ３０１）、対応の第２の子機Ｂ３−２が鳴動する（Ｓ３０２）。
【００４１】
さらに、必要な場合には指定時間の間だれも応答しなかった場合には（Ｓ１０９）、近くにある第１の子機Ａ３−１に対しても無線通信回路１２及びアンテナ１３を通じて着信信号を送信し（Ｓ１１０）、第１の子機Ａ３−１が着信信号を受信することにより（Ｓ２０４）、対応の第１の子機Ａ３−１を鳴動させることもできる（Ｓ２０５）。
【００４２】
実施例１においては、第１の子機Ａ３−１と第２の子機Ｂ３−２の２台で説明しているが、３台以上の子機の構成においても同様に本発明を実施することが可能である。また、子機が１台の構成においても同様で、図３において１台の子機が第１の子機Ａの位置にある場合と第２の子機Ｂの位置にある場合とで考えることができる。さらに、実施例１において、図１（１）に示す親機１にカールコードで送受話器が接続されるコードレス電話機に対し、図１（２）に示す親機１と送受話器（子機）３との間をコードレスで接続するコードレス電話機（カールコードレスタイプ）についても同様に本発明を実施できる。
【００４３】
図６を用いて、本発明の第２の実施例におけるコードレス電話機の子機の構成を説明する。図６においては図２と同一の符号が付されたブロックは同一の機能を有するものであり説明を省略する。また、コードレス電話機の親機については図２と同一であり説明を省略する。
【００４４】
第２の実施例は、第１の実施例に比べて、コードレス電話機子機３のＲＦＩＤタグ４０の記憶部４１に記憶された情報を、コードレス電話機子機３の制御回路３１から読み出せるようにしたものである。すなわち、第２の実施例のコードレス電話機子機３は、図２で説明したブロックの他にＲＦＩＤ制御回路４４を有して構成される。
【００４５】
ＲＦＩＤ制御回路４４は、制御回路３１においてＲＦＩＤタグ４０の記憶部４１に書かれている情報を読み出したり、ＲＦＩＤタグ４０の記憶部４１に情報を書き込んだりするための回路である。
【００４６】
第２の実施例の動作を、図２〜図４、図６〜図８を用いて説明する。この実施例においても、コードレス電話機親機１と第１の子機Ａ３−１及び第２の子機Ｂ３−２が図３の位置関係にあるとする。図８に示すフローチャートにおいて、コードレス電話機親機１に着信があると、制御回路１１は着信を認識する（Ｓ４０１）。この着信に対して第１の子機Ａ３−１と第２の子機Ｂ３−２を鳴動させる場合、制御回路１１はＲＦＩＤリーダー／ライター２０からＲＦ信号を送出する（Ｓ４０２）。ＲＦＩＤエリア内にあるＲＦＩＤタグ４０はＲＦ信号によりパワーが供給され動作を開始する（Ｓ５０１）。（図３の場合には第１の子機Ａ３−１にはパワーが供給され、第２の子機Ｂ３−２にはパワーが供給されない）
【００４７】
このＲＦ信号にはコマンドが含まれ、第１の子機Ａ３−１はそのコマンドを受け取る（Ｓ５０２）。コマンドを受け取ったＲＦＩＤタグ４０はコマンドを記憶部４１に記憶し（Ｓ５０３）、記憶部４１に予め記憶された自分のＩＤを送信する（Ｓ５０４）。コードレス電話機親機１のＲＦＩＤリーダー／ライター２０は、ＲＦＩＤタグ４０から送信されたＩＤを受信する（Ｓ４０３）。ステップＳ５０３において記憶部４１に記憶されたコマンド情報を、図７を用いて説明する。すなわち、記憶部４１に記憶されたコマンド情報は、例えば、自分のＩＤ情報“０００１”と、親機から受信したコマンド“２”（音量中による着信）とされる。この記憶されたコマンド情報は、コードレス電話機親機１からの呼出信号を受信するか、記憶から一定時間を経過すると消去される。
【００４８】
コードレス電話機親機１は、子機３のＲＦＩＤタグ４０からのデータ受信を一定時間監視して、タイムオーバーすると（Ｓ４０４）、制御回路１１は受信データを情報記憶回路２１に記憶する（Ｓ４０５）。情報記憶回路２１に記憶されるデータ構成は、前述の図４に示したものと同様である。
【００４９】
情報記憶回路２０に記憶されたデータから、ＩＤを受信できた子機（この場合には第１の子機Ａ３−１）が近くにあり、ＩＤを受信できなかった子機（この場合は第２の子機Ｂ３−２）が近くに無いことを制御回路１１が判定する。（Ｓ４０６）。制御回路１１は、スピーチネットワーク１５の制御を行い、スピーカ１７より着信音を鳴動させることにより親機を着信鳴動させる（Ｓ４０７）。
【００５０】
親機の着信鳴動については、図８には特に記述しないが、ステップＳ５０６の判定結果により以下の３つの中から選択することができる。
（１）無条件で鳴動させる。
（２）鳴動させる子機がある場合には親機は鳴動させない。
（３）子機を一定時間鳴動させて、誰も応答しなかった場合に親機を鳴動させる。
【００５１】
制御回路１１は、近くに無いと判定した第２の子機Ｂ３−２に対して、無線通信回路１２及びアンテナ１３を通じて呼出信号を送信し（Ｓ４０８）、第２の子機Ｂ３−２が呼出信号を受信することにより（Ｓ６０１）、対応の第２の子機Ｂ３−２が鳴動する（Ｓ６０３）。このとき、第２の子機Ｂ３−２のＲＦＩＤタグ４０の記憶部４１にはコマンドは記憶されていないので、通常の着信動作になる。
【００５２】
ステップＳ４０８で子機に呼出信号を送信する際、ＩＤ信号を受信でき近くに有ると判定した子機（図３の場合は第１の子機Ａ３−１）に対しても設定によっては呼出信号を送信することもできる。
【００５３】
コードレス電話機親機１のＲＦＩＤエリア内に有る子機（図３の場合は第１の子機Ａ３−１）に対して呼出信号が送出された場合には（Ｓ４０８）、第１の子機Ａ３−１が呼出信号を受信したときに（Ｓ５０５）、制御部３１は、ＲＦＩＤタグ４０の記憶部４１に記憶されたコマンドを読出し（Ｓ５０６）、コマンドに従って、着信音量を小さくしたり、音を止めてバイブレータのみを動作させたり、着信動作を制御することができる（Ｓ５０７）。
【００５４】
第２の実施例においては、第１の子機Ａと第２の子機Ｂの２台で説明しているが、３台以上の子機の構成においても同様に可能である。また、子機が１台の構成においても同様で、図３において１台の子機が子機Ａの位置にある場合と子機Ｂの位置にある場合とで考えることができる。第２の実施例において、図１（１）に示す親機１にカールコードで送受話器が接続されるコードレス電話機に対し、図１（２）に示す親機１と送受話器（子機）３との間をコードレスで接続するコードレス電話機（カールコードレスタイプ）についても同様に本発明を実施できる。
【００５５】
図９を用いて、本発明の第３の実施例にかかるボタン電話装置のボタン電話主装置の構成を説明する。ボタン電話主装置に接続されるコードレス式ボタン電話機１−１〜１−ｎの構成は図２及び図６と同一であるため説明を省略する。
【００５６】
ボタン電話主装置５は、中央制御部５１と、通話路スイッチ５２と、１以上の外線回路５３−１〜５３−ｎと、複数の内線回路５４−１〜５４−ｎと、記憶部５５を有して構成される。
【００５７】
中央制御部５１は、ボタン電話主装置５の各回路からの入力情報（コードレス式ボタン電話機１からの情報も含む）に対する解析や判断、記憶部５５に対する情報の入出力、各回路の制御を行う。通話路スイッチ５２は、ボタン電話主装置５内の交換処理（外線と内線の接続、他）を行う。外線回路５３−１〜５３−ｎは、外線に接続されるインタフェース回路である。内線回路５４−１〜５４−ｎは、コードレス式ボタン電話機１−１〜１−ｎと音声データ、制御データの通信を行うためのインタフェース回路である。
【００５８】
記憶部５５は、通常の記憶部としての働きの他に、コードレス式ボタン電話機１の子機に付加されたＲＦＩＤタグのＩＤ番号、ＩＤ受信状態等の情報が記憶される。
【００５９】
本発明の第３の実施例の動作を、図２、図３、図６、図９〜図１１を用いて説明する。ボタン電話装置のボタン電話主装置５に外線から着信があると、中央制御部５１は外線回路５３から着信を検出し（Ｓ７０１）、着信鳴動させるボタン電話機を指定して内線回路５４から対応のコードレス式ボタン電話機の親機１にＩＤ確認信号を送出する（Ｓ７０２）。
【００６０】
コードレス式ボタン電話機の親機１と第１の子機Ａ３−１及び第２の子機Ｂ３−２が図３の位置関係にあるとした場合、コードレス式ボタン電話機の親機１が主装置５からＩＤ確認信号を受信すると（Ｓ８０１）、制御回路１１はＲＦＩＤリーダー／ライター２０からＲＦ信号を送出する（Ｓ８０２）。ＲＦＩＤエリア内にある子機３のＲＦＩＤタグ４０はＲＦ信号によりパワーが供給され動作を開始する（Ｓ９０１）。（図３の場合には第１の子機Ａ３−１にはパワーが供給され第２の子機Ｂ３−２にはパワーが供給されない）このＲＦ信号にはコマンドが含まれ、第１の子機Ａ３−１はそのコマンドを受け取る（Ｓ９０２）。コマンドを受け取ったＲＦＩＤタグ４０は記憶部４１に予め記憶された自分のＩＤを送信し（Ｓ９０３）、コードレス式ボタン電話機の親機１のＲＦＩＤリーダー／ライター２０は第１の子機Ａ３−１のＲＦＩＤタグ４０から送信されたＩＤを受信する（Ｓ８０３）。
【００６１】
ＲＦＩＤタグ４０からのデータ受信を一定時間監視して、タイムオーバーすると（Ｓ８０４）、制御回路１１は受信データをボタン電話主装置５に送信する（Ｓ８０５）。ＩＤ情報を受信した（Ｓ７０３）ボタン電話主装置５は、受信した子機３のＩＤ情報を記憶部５５に記憶する（Ｓ７０４）。
【００６２】
記憶部５５に記憶されるデータ構成を図１１に示す。記憶部５５に記憶されるデータは、子機とＩＤの識別テーブルとして構成され、親機に対応した子機番号およびそのＩＤ、ならびにＩＤ受信状態が登録される。この例では、親機番号“１０”の子機番号“Ａ”のＩＤが“０００１”であり、ＩＤ受信状態は受信である。同様に親機番号“１１”の子機番号“Ｂ”のＩＤが“０００４”であり、ＩＤ受信状態は受信である。その他の子機はＩＤ受信状態となっていない。
【００６３】
記憶部５５に記憶されたデータから、ＩＤを受信できた子機（この場合には第１の子機Ａ３−１）が近くにあり、ＩＤを受信できなかった子機（この場合は第２の子機Ｂ３−２）が近くに無いことを中央制御部５１が判定する。（Ｓ７０５）。
【００６４】
中央制御部５１は、判定結果に基づいて鳴動指示をコードレス式ボタン電話機の親機１に送信する。指示の内容を図１２に示す。すなわち、この例では指示対象はデータであり、親機１への指示は通常着信“０”であり、第１の子機Ａへの指示は指定時間後着信“１”であり、第２の子機Ｂへは通常着信“０”であり、子機Ａの指定時間は２０秒“２”である。上記の指示は、例えば、子機の着信音量を下げたり、着信音を止めてバイブレータのみを動作させたり等の着信動作の指示に用いることもできる。
【００６５】
鳴動指示を受信した（Ｓ８０６）コードレス式ボタン電話機親機１は、指示に従って指定時間後に鳴動させる第１の子機Ａ３−１に呼出信号を送信する（Ｓ８０７）。呼出信号を受信した（Ｓ９０４）第１の子機Ａ３−１は、着信動作を行う（Ｓ９０５）。また、コードレス式ボタン電話機親機１は、ボタン電話主装置５からの鳴動指示に従って親機１の鳴動を行う（Ｓ８０８）。
【００６６】
実施例３は、図１（３）に示すカールコードで送受話器が接続されるコードレス式ボタン電話機親機１とコードレスで親機に接続される子機３とからなるボタン電話装置について説明したが、図１（４）に示されるコードレス式ボタン電話親機１にコードレスで送受話器（子機）３が接続されるボタン電話装置）についても同様に本発明を実施することができる。実施例３においては、図６に示した子機を用いた場合の説明は省略しているが、図６の構成を用いることにより第２の実施例と同様の動作が可能である。実施例３においては、第１の子機Ａ３−１と第２の子機Ｂ３−２の２台で説明しているが、３台以上の子機の構成においても同様に可能である。また、子機が１台の構成においても同様で、図３において１台の子機が子機Ａの位置にある場合と子機Ｂの位置にある場合とで考えることができる。
【００６７】
ＲＦＩＤタグには一般的に、電池を持つものと、電池を持たずにＲＦＩＤリーダー／ライターからのＲＦ信号によりパワーを得るものがあり、本実施例では電池を持たない例を記述しているが、何れの方式でも同様に本発明を実施することが可能である。
【図面の簡単な説明】
【００６８】
【図１】本発明にかかるコードレス電話機の全体動作を説明する概略図。
【図２】本発明のる第１の実施例にかかるコードレス電話機の親機及び子機の構成の概略図。
【図３】本発明の第１及び第２の実施例における概略の動作イメージ図。
【図４】本発明の第１及び第２の実施例における子機とＩＤの識別テーブル。
【図５】本発明の第１の実施例における着信処理動作フローチャート。
【図６】本発明による第２の実施例におけるコードレス電話機の子機の構成概略図。
【図７】本発明の第２の実施例におけるＲＦＩＤタグの記憶部に記憶される情報。
【図８】本発明の第２の実施例における着信処理動作フローチャート。
【図９】本発明の第３の実施例におけるボタン電話装置の主装置の構成概略図。
【図１０】本発明の第３の実施例における着信処理動作フローチャート。
【図１１】本発明の第３の実施例における子機とＩＤの識別テーブル。
【図１２】本発明の第３の実施例における鳴動指示情報。
【符号の説明】
【００６９】
１：コードレス電話親機、３：コードレス電話子機、５ボタン電話主装置、６：有線式ボタン電話機、１１：制御回路、１２：無線通信回路、１３：アンテナ、１４：回線インタフェース回路、１５：スピーチネットワーク、１６：送受話器、１７：スピーカ、１８：入力回路、１９：表示回路、２０：ＲＦＩＤリーダー／ライター、２１：情報記憶回路、２２：電源回路、２３：充電端子、３１：制御回路、３２：無線通信回路、３３：アンテナ、３４：スピーチネットワーク、３５：送受話器、３６：スピーカ、３７：入力回路、３８：表示回路、３９：情報記憶回路、４０：ＲＦＩＤタグ、４１：記憶部、４２：充電端子、４３：電源回路、４４：ＲＦＩＤ制御回路、５１：中央制御部、５２：通話路スイッチ、５３：外線回路、５４：内線回路、５５：記憶部。
【図１】
2006074178.tif 000003
【図２】
2006074178.tif 000004
【図３】
2006074178.tif 000005
【図４】
2006074178.tif 000006
【図５】
2006074178.tif 000007
【図６】
2006074178.tif 000008
【図７】
2006074178.tif 000009
【図８】
2006074178.tif 000010
【図９】
2006074178.tif 000011
【図１０】
2006074178.tif 000012
【図１１】
2006074178.tif 000013
【図１２】
2006074178.tif 000014